(57)【要約】【課題】装置の大型化を招くことなく多くの種類のレンズの識別を行えるアダプタ及びカメラ装置を提供する。【解決手段】カメラ本体１が備えるカメラ側マウント部１１に装着可能なアダプタ１２であって、先端部にワイドコンバータ１８や照れコンバータ２１等の光学系部材を装着可能に設けられた先端側マウント部１２ｃと、先端側マウント部１２ｃに装着される光学系部材の基端部に形成されている突出部の光学系部材の種類に応じた固有の突出量の変動パターンを検出する検出機構部１７とを有し、検出機構部１７の検出結果を着脱情報として、カメラ側マウント部１１に設けられた電気接点を介してカメラ本体１へ入力する。【選択図】図２
2010134189.tif 000002
【特許請求の範囲】
【請求項１】
カメラ本体が備えるカメラ側マウント部に装着可能なアダプタであって、
先端部に光学系部材を装着可能に設けられた先端側マウント部と、
前記先端側マウント部に装着される光学系部材の基端部に形成されている突出部の光学系部材の種類に応じた固有の突出量の変動パターンを検出する検出手段とを有し、
前記検出手段の検出結果を着脱情報として、前記カメラ側マウント部に設けられた電気接点を介して前記カメラ本体へ入力することを特徴とするアダプタ。
【請求項２】
前記検出手段は、
前記光学系部材の突出部の突出量の変動に追従して変位するスライド板と、
前記スライド板の変位量に応じて動作するスイッチとを有することを特徴とする請求項１記載のアダプタ。
【請求項３】
前記スライド板は、幅が異なる２以上の部分からなり、
前記スイッチは、所定の位置において、スライド板の変位に伴う幅の変化を検出することを特徴とする請求項２記載のアダプタ。
【請求項４】
前記検出手段は、
中央部で回動可能に支持され、一端が前記光学系部材の突出部と当接し、他端が前記スライド板に係合したレバーと、
前記スライド板を先端側に付勢する付勢手段とを有することを特徴とする請求項２又は３記載のアダプタ。
【請求項５】
前記カメラ側マウント部に設けられた電気接点に対応させて、該カメラ側マウント部に接続される基端側マウント部に複数の電気接点が設けられたことを特徴とする請求項１から４のいずれか１項記載のアダプタ。
【請求項６】
通常撮影時に使用するレンズとは異なる光学系部材を装着可能なカメラ側マウント部を備えたカメラ装置であって、
前記カメラ側マウント部に装着される光学系部材の基端部に形成されている突出部の光学系部材の種類に応じた固有の突出量の変動パターンを検出する検出手段を有し、
前記検出手段の検出結果に応じた着脱情報に基づいて所定の機能の制御を最適化することを特徴とするカメラ装置。
【請求項７】
前記検出手段は、
前記光学系部材の突出部の突出量の変動に追従して変位するスライド板と、
前記スライド板の変位量に応じて動作するスイッチとを有することを特徴とする請求項６記載のカメラ装置。
【請求項８】
前記スライド板は、幅が異なる２以上の部分からなり、
前記スイッチは、所定の位置において、スライド板の変位に伴う幅の変化を検出することを特徴とする請求項７記載のカメラ装置。
【請求項９】
前記検出手段は、
中央部で回動可能に支持され、一端が前記光学系部材の突出部と当接し、他端が前記スライド板に係合したレバーと、
前記スライド板を先端側に付勢する付勢手段とを有することを特徴とする請求項７又は８記載のカメラ装置。
【請求項１０】
前記着脱情報に基づいて、光学系部材が装着されているか否かを再生／撮影画面の表示中に表示することを特徴とする請求項６から９のいずれか１項記載のカメラ装置。
【請求項１１】
前記着脱情報を、撮影画像のピント位置の補正情報として用いることを特徴とする請求項６から１０のいずれか１項記載のカメラ装置。
【請求項１２】
前記着脱情報に基づいて、測距機能を作動させるか否かを決定することを特徴とする請求項６から１１のいずれか１項記載のカメラ装置。
【請求項１３】
前記着脱情報に基づいて自動露出制御を行うことを特徴とする請求項６から１２のいずれか１項記載のカメラ装置。
【請求項１４】
前記着脱情報に基づいて、ストロボ発光時の光量を制御することを特徴とする請求項６から１３のいずれか１項記載のカメラ装置。
【請求項１５】
前記着脱情報に基づいて、外付けファインダー装着時の視野範囲を設定することを特徴とする請求項６から１４のいずれか１項記載のカメラ装置。
【請求項１６】
前記着脱情報に基づいて、手ぶれ防止機能を制御することを特徴とする請求項６から１５のいずれか１項記載のカメラ装置。
【請求項１７】
前記着脱情報に基づいて、歪曲収差補正機能を制御することを特徴とする請求項６から１６のいずれか１項記載のカメラ装置。
【請求項１８】
前記着脱情報に基づいて、周辺光量補正機能を制御することを特徴とする請求項６から１７のいずれか１項記載のカメラ装置。
【請求項１９】
前記着脱情報に基づいて、色収差補正機能を制御することを特徴とする請求項６から１８のいずれか１項記載のカメラ装置。
【発明の詳細な説明】
【技術分野】
【０００１】
本発明は、装着された光学系部材の種類を特定可能なアダプタ及びカメラ装置に関する。
【背景技術】
【０００２】
近年のコンパクトカメラは、非撮影時にレンズ鏡筒が本体内に収容される沈胴式が主流となっている。
【０００３】
このような沈胴式のカメラにおいて、搭載されているレンズとは別の光学系部材（コンバータレンズやフィルタ）を装着すると、撮影光学系全体としての特性が変化するため、露出の調整やピント合わせなどを最適に行うための制御は非装着時と異なってくる。
【０００４】
このため、装着された光学系部材の種類に応じてカメラ本体における制御の内容を変更することが求められている。
【０００５】
特許文献１には、カメラのマウント部に光学系部材を装着可能なアダプタの先端側に、先端側マウント部を有し、先端側マウント部に装着された光学系部材にカメラ側に突出形成された突出部の光学系部材の種類ごとに固有の突出量を検出する検出手段を備え、カメラ側マウント部に接続される基端側マウント部には、検出された突出量に対応づけた信号を脱着情報として送出する送出手段を有する構造の発明が開示されている。
【０００６】
特許文献１に開示される発明は、取り付けレンズの自動認識に関する技術であり、マウント部に設けられたスライド板を押す量を、レンズごとに変えることによってレンズの種類を検出するものである。
カメラ側で検出することにより、その結果レンズの特性に合わせてカメラが適正な制御をできるようにするものである。
【特許文献１】特開２００７−７９３６２号公報
【発明の開示】
【発明が解決しようとする課題】
【０００７】
しかし、特許文献１に開示される発明は、検出センサがレンズ側の突出部の突出量の差異を明確に検出できるようにするために突出量を多く確保しなければならず、光軸方向への装置の大型化を招く。
【０００８】
また、複数の検出スイッチを配慮・検出するために制御が煩雑になってしまう。
【０００９】
さらに、識別すべきレンズの種類が多くなると、突出量の差異では判別が困難となるため、識別可能なレンズの種類は少数に限られてしまう。
【００１０】
本発明は係る問題に鑑みてなされたものであり、装置の大型化を招くことなく多くの種類のレンズの識別を行えるアダプタ及びカメラ装置を提供することを目的とする。
【課題を解決するための手段】
【００１１】
上記目的を達成するため、本発明は、第１の態様として、カメラ本体が備えるカメラ側マウント部に装着可能なアダプタであって、先端部に光学系部材を装着可能に設けられた先端側マウント部と、先端側マウント部に装着される光学系部材の基端部に形成されている突出部の光学系部材の種類に応じた固有の突出量の変動パターンを検出する検出手段とを有し、検出手段の検出結果を着脱情報として、カメラ側マウント部に設けられた電気接点を介してカメラ本体へ入力することを特徴とするアダプタを提供するものである。
【００１２】
また、上記目的を達成するため、本発明は、第２の態様として、通常撮影時に使用するレンズとは異なる光学系部材を装着可能なカメラ側マウント部を備えたカメラ装置であって、カメラ側マウント部に装着される光学系部材の基端部に形成されている突出部の光学系部材の種類に応じた固有の突出量の変動パターンを検出する検出手段を有し、検出手段の検出結果に応じた着脱情報に基づいて所定の機能の制御を最適化することを特徴とするカメラ装置を提供するものである。
【発明の効果】
【００１３】
本発明によれば、装置の大型化を招くことなく多くの種類の光学系部材を識別できるアダプタ及びカメラ装置を提供できる。
【発明を実施するための最良の形態】
【００１４】
〔第１の実施形態〕
本発明を好適に実施した第１の形態について説明する。図１に、本実施形態に係るデジタルカメラの装置構成を示す。本実施形態に係るカメラは、沈胴式（非撮影時にレンズ鏡筒が本体内に収容される方式）のレンズ鏡胴を備えたコンパクトカメラである。カメラ本体１と画情報を取り込むレンズ部２とは一体に構成されており、レンズ鏡胴の周り（外周部）にはアダプタ１２を取り付けるためのカメラ側マウント部１１が設けられている。
アダプタ１２はカメラ側マウント部１１と係合して着脱可能であり、レンズ鏡胴を覆うように取り付けられる。
【００１５】
カメラ側マウント部１１は、アダプタ１２からの信号検出のためのアダプタ検出部３が設けられており、アダプタ１２からの信号を受ける接点４〜６を備えている。
【００１６】
カメラ本体１には、被写体までの距離を測るための測距部７が開口しており、また、暗い環境での撮影の際に用いるフラッシュ部１０が設けられている。また、カメラ本体１は、撮影のためのレリーズボタン９、起動・停止のための電源ボタン８を備えている。
【００１７】
アダプタ１２の先端には先端側マウント部１２ｃが形成されており、光学系部材としてのワイドコンバータ１８やテレコンバータ２１などを着脱可能となっている。
【００１８】
ワイドコンバータ１８及びテレコンバータ２１は公知のものを適用可能であり、ワイドコンバータ１８を装着することによりレンズ部２の画角よりも広い画角での撮影が可能となり、テレコンバータ２１を装着することによりレンズ部２の画角よりも狭い画角での撮影が可能となる。
【００１９】
なお、アダプタ１２の先端にはフードや別の付属品を取り付けることも可能である。
【００２０】
図２、図３に、アダプタ１２の構成を示す。図２は、アダプタ１２をカメラ本体１に装着した状態での断面であり、図３は、アダプタ１２を背面側（カメラ本体１と接する側）を視点とした斜視図である。アダプタ１２の基端側マウント部１２ａには係止爪１２ｂが設けられており、この爪がカメラ側マウント部１１に係合することによってカメラ本体１に装着される。アダプタ１２の先端には先端側マウント部１２ｃが設けられており、ワイドコンバータ１８やテレコンバータ２１は、これを利用して着脱される。筒状のアダプタ１２の内側には、検出機構部１７が設けられており、検出機構部１７が出力する信号は接点１３〜１５を介してカメラ本体１側の接点４〜６へと伝わるようになっている。
【００２１】
図４に、検出機構部１７の構成を示す。検出機構部１７は、大まかにはスライド板２８とレバー２４とを連結した構成である。スライド板２８は、アダプタ１２の軸方向に沿った長穴３０を備えている。アダプタ１２の内筒面に形成された支軸２９が長穴３０に挿入されることにより、スライド板２８はアダプタ１２の軸方向にスライド可能に支持されている。レバー２４は、アダプタ１２の内筒面に形成された回転軸２６を枢軸として回動可能に支持されている。レバー２４は、一端に形成された駆動軸２７がスライド板２８に形成された長穴３５に挿入されることにより、スライド板２８のスライドと連動して回動するようになっている。スライド板２８はスプリング３３によってアダプタ１２の先端側に付勢されている。スライド板２８の脇にはスイッチ３１が設置されており、スライド板２８の側面に形成されている段差がスライドに伴ってスイッチ３１をオン・オフさせる。
【００２２】
図５に、先端側マウント部１２ｃに装着されるコンバータレンズの一例を示す。コンバータレンズの基端側の突出部には、所定の凹凸形状で摺動面５１が形成されている。図６に示すように、摺動面５１の凹凸形状は、コンバータレンズの種類ごとに異なる。
【００２３】
図７に、ワイドコンバータ１８をアダプタ１２に装着した状態を示す。また、図８に、ワイドコンバータ１８を装着する際の検出機構部１７の状態を示す。ワイドコンバータ１８を装着する際には、レバー２４の先端に形成されている曲げ部２５は、突出部１９の端面に形成されている摺動面５１に倣って移動するため、レバー２４が回動する。すなわち、図６（ｂ）に示した凹凸形状においては、凸部７１、凹部７２、凸部７３、凹部７４、凸部７５、凹部７６、凸部７７に倣って曲げ部２５が移動してレバー２４を回動させる。レバー２４の回動に応じてスライド板２８もスライドするため、摺動面５１の凹凸はスイッチ３１からの出力として検出機構部１７によって検出される。従って、検出機構部１７からは図９（ｂ）に示すように凹部７２、７４及び７６に対応する三つのピークを有する信号が出力される。ここで、ワイドコンバータ１８の基端側の突出部１９の突出量はＬ１である。
【００２４】
また、図１０にテレコンバータ２１をアダプタ１２に装着した状態を示す。また、図１１に、テレコンバータ２１を装着する際の検出機構部１７の状態を示す。テレコンバータ２１を装着する際に、レバー２４の先端に形成されている曲げ部２５は、突出部２２の端面に形成されている摺動面５１に倣って移動するため、レバー２４が回動する。すなわち、図６（ａ）に示した凹凸形状においては、凸部６１、凹部６２、凸部６３、凹部６４、凸部６５に倣って曲げ部２５が移動してレバー２４を回動させる。レバー２４の回動に応じてスライド板２８もスライドするため、摺動面５１の凹凸はスイッチ３１からの出力として検出機構部１７によって検出される。従って、検出機構部１７からは図９（ａ）に示すように凹部６２及び６４に対応する二つのピークを有する信号が出力される。ここで、テレコンバータ２１の基端側の突出部２２の突出量はＬ２であり、ワイドコンバータ１８とは異なっている。突出量が異なれば、変動パターンが同様であったとしても、信号レベルの違いに基づいてコンバータの種類を区別することが可能である。
なお、図示するように、検出機構部１７に、スイッチを複数（スイッチ３１、３２）設けても良い。
【００２５】
このような検出機構部１７からの信号の波形の違いにより、先端側マウント１２ｃに装着されたコンバータレンズの種類を識別可能となる。
【００２６】
図１２に、本実施形態に係るデジタルカメラの機能構成を示す。本実施形態に係るデジタルカメラは、レンズユニット部１０２、電荷結合素子（ＣＣＤ）１０３、相関二重サンプリング（ＣＤＳ）回路１０４、Ａ／Ｄ変換部１０５、デジタル信号処理回路１０６、圧縮伸長回路１０７、ＤＲＡＭ１０８、メモリカード１０９、ドライバ１１１、制御信号生成（ＳＧ）部１１２、ＣＰＵ１１３、マイク１１６、アンプ・フィルタ１１７、Ｄ／Ａ変換部１１８、音声データ圧縮伸長回路１１９、Ａ／Ｄ変換部１２０、アンプ・フィルタ部１２１、ＯＳＤ１２２、ＲＡＭ１２３、ＣＰＵバス１２４、ＤＣ／ＤＣコンバータ１２５を有する。
【００２７】
デジタルカメラの構成要素のうち、映像に関する信号処理部分について説明する。レンズユニット１０２はレンズ２０３及びメカ機構１２６から構成されている。メカ機構１２６は、二つのフィールドの同時露光を行うメカニカルシャッター、オートフォーカス（ＡＦ）、絞り、フィルタ部を備えている。また、レンズ２０３の被写体側にはコンバータレンズ２０４が取り付けられる。
【００２８】
ＣＣＤ１０３は、レンズユニット部１０２を介して入力された映像を電気信号（アナログ画像データ）に変換する。ＣＤＳ回路１０４は、ＣＣＤ１０３によって変換された電気信号のノイズを低減させる。Ａ／Ｄ変換部１０５は、ＣＤＳ回路１０４によって低ノイズ化された電気信号を最適なサンプリング周波数（例えば、ＮＴＳＣ信号のサブキャリア周波数の整数倍）でデジタル信号（デジタル画像データ）に変換する。
【００２９】
デジタル信号処理回路１０６は、Ａ／Ｄ変換部１０５によって変換されたデジタル画像データを輝度データと色差データとに分けてγ補正や画像圧縮・伸長のためのデータ処理などを行う。
【００３０】
圧縮伸長回路１０７は、所定の圧縮規格（ＪＰＥＧなど）に準拠しており、デジタル画像データを直交変換・ハフマン符号化して圧縮、又はハフマン復号化・逆直交変換して伸長する。
【００３１】
一方、音声に関する信号処理部分については、マイク１１６に内蔵された音声電気信号変換素子が音声を電気信号（アナログ音声データ）に変換した後、アンプ・フィルタ部１１７が増幅して必要帯域にカットオフする。Ｄ／Ａ変換部１１８は、所定帯域の２倍以上のサンプリング周波数でデジタル音声データに変換し、音声データ圧縮伸長回路１１９は圧縮・符号化処理を行う。
【００３２】
このようにして圧縮処理されたデジタル画像データは画像データファイルとして、また圧縮処理されたデジタル音声データは音声データファイルとしてメモリカード１０９に記録される。また、ＤＲＡＭ１０８は、圧縮処理されたデジタル画像データを一時的に格納する。
【００３３】
ＣＰＵ１１３はＲＡＭ１２３を有し、ＣＰＵバス１２４を介してデジタル信号処理回路１０６、ＤＲＡＭ１０８、メモリカード１０９等と接続されている。ＣＰＵ１１３は、操作部２０６からの支持や不図示のリモコンなどからの動作指示に応じて、不図示のＲＯＭに格納された制御プログラムに従ってデジタルカメラの各部の動作を制御する。例えば、ＣＰＵ１１３は、メモリカード１０９へのデジタル画像データ及びデジタル音声データの記録動作の制御、メモリカード１０９に記録されているデジタル画像データ及びデジタル音声データの再生動作の制御等を行う。
ＤＣ／ＤＣコンバータ１２５は、電池１２７やＡＣアダプタ１２８からの入力電圧を返電してデジタルカメラに電源を供給する。
【００３４】
図１３に、本実施形態に係るデジタルカメラの動作の流れを示す。
電源ボタン８の操作によってカメラ本体１の電源がオンされると、ＣＰＵ１１３はドライバ１１１を用いてメカ機構１２６を制御し、レンズ鏡胴をカメラ本体１から繰り出すとともに、ＣＣＤ１１３を撮影状態とする（ステップＳ１００）。
【００３５】
ＣＰＵ１１３は、コンバータ装着スイッチ（スイッチ３１）が有効となっているか否かを確認する（ステップＳ１０２）。コンバータ装着スイッチが有効となっている場合には（ステップＳ１０２／Ｙｅｓ）、スイッチ３１からの信号の波形を読み取る（ステップＳ１０４）。そして、ＣＰＵ１１３は開口部形状を分析し、輝度値の差がある場所が何処にあるかを判断する（ステップＳ１０８）。さらにＣＰＵ１１３は、コンバータレンズの種類を判断する（ステップＳ１１０）。
【００３６】
コンバータレンズの種類がワイドコンバータである場合は（ステップＳ１１０／ワイド）、ＣＰＵ１１３はワイドコンバータレンズに適したパラメータを読み出す（ステップＳ１１４）。一方、コンバータレンズの種類がテレコンバータである場合は（ステップＳ１１０／テレ）、ＣＰＵ１１３はテレコンバータレンズに適したパラメータを読み出す（ステップＳ１１６）。
【００３７】
なお、コンバータ装着スイッチがオフとなっている場合は（ステップＳ１０２／Ｎｏ）、ＣＰＵ１１３はコンバータレンズが装着されていないカメラ本体１のレンズ構成に適したフォーカスレズ駆動や焦点距離表示のパラメータを読み出す（ステップＳ１１２）。
【００３８】
その後、ＣＰＵ１１３は、ＣＣＤ１０３、ＣＤＳ回路１０４及びＡ／Ｄ変換回路１０５のそれぞれをコンバータレンズの有無や種類に応じたパラメータで駆動してデジタル電気信号を取得し、それをデジタル信号処理回路１０６での処理によってデジタル画像データとして取得する（ステップＳ１１８）。そして、その画像データをＬＣＤ２０９に表示させる（ステップＳ１２０）。
【００３９】
その後ＣＰＵ１１３は、レリーズボタン９が半押しされるのを待機する（ステップＳ１２２）。レリーズボタン９が押下された場合は、ＣＰＵ１１３はレンズごとに設定されたパラメータに従ってフォーカスレンズの移動量を算出する（ステップＳ１２４）。ここでのレンズごとに設定されたパラメータとは、光学系によって結像位置の特性が変化するので、フォーカス群のスキャン範囲をその特性に合わせるためのものである。例えば、起動時にＩＮＦとなるようなレンズの位置、ＣＣＤ−ＡＦ方式でオートフォーカスを行う際の各評価位置（移動間隔）などのパラメータである。
【００４０】
そして、ＣＰＵ１１３はメカ機構１２６を制御して、ステップＳ１２４で算出した移動量だけフォーカスレンズを移動させる（ステップＳ１２６）。フォーカスレンズの移動が完了したら、ＣＰＵ１１３はレリーズボタン９が全押しされるのを待機する（ステップＳ１２８）。レリーズボタン９が全押しされた場合（ステップＳ１２８／Ｙ）、ＣＰＵ１１３はメカ機構１２６を制御して絞りを調整し、ＣＣＤ１０３、ＣＤＳ回路１０４、Ａ／Ｄ変換部１０５及びデジタル信号処理回路１０６で処理されたデジタル画像データを取得する（ステップＳ１３０）。ＣＰＵ１１３は、撮影したデジタル画像データをメモリカード１０９に記録する（ステップＳ１３２）。その後、撮影モード終了の操作がなされた場合は処理を終了し、撮影モード終了の操作がなされなかった場合はステップＳ１０２へ進み、コンバータ装着検出スイッチの出力を再び監視する。
【００４１】
このようにすることで、アダプタ１２に装着されたコンバータ等に対応したピント位置の補正を行い、ピント補正された最適なピント画像を得られる。
【００４２】
なお、ここではコンバータレンズの種類に応じてフォーカス制御を行う動作を例としたが、これと異なる動作を行うことも可能である。
例えば、通常はハイブリッドＡＦ（外部ＡＦ＋ＣＣＤ−ＡＦ方式）を使用しているカメラでは、コンバータレンズの外形サイズが大きいなどの理由により外部ＡＦの視野がケラレてしまうことがあり、そのまま外部ＡＦを作動させると正常なＡＦ機能が果たせなくなる場合がある。換言すると、コンバータレンズが外部ＡＦの配光角を遮ってしまい、ＡＦ機能が正常に動作しない場合がある。このような場合にはある種のコンバータレンズを取り付けた場合にＣＣＤ−ＡＦだけを動作させるようにすると良い。
【００４３】
また、コンバータレンズを装着することにより、全体の光学系での明るさがカメラ本体のレンズ単独に比べて大きく異なる場合、コンバータの有無や種類に応じてカメラ本体のＡＥ制御を最適化する必要が生じる。よって、コンバータレンズが装着されたか否かをカメラ本体で認識し、コンバータの有無や種類に応じてその差異を修正して、最適なＡＥ制御を行い最適な露出で画像が得られるようにすることが好ましい。
【００４４】
また、コンバータレンズを装着する場合、コンバータレンズの種類ごとにレンズの明るさが異なるため、最適なストロボ発光量も異なってくる。さらに、コンバータレンズを付加することにより、撮影画角も異なるため、ストロボの照射角もコンバータレンズの種類に合わせて変化させることが好ましい。よって、コンバータレンズの着脱情報をカメラ本体に伝達して、ストロボ発光時の制御を最適化することが望ましい。
【００４５】
また、コンバータレンズの着脱情報をカメラ本体に伝達することで、手ぶれ防止機能を最適化することが可能となる。カメラにおける手ぶれは、焦点距離が長くなるほど（すなわち、望遠するほど）顕著に現れ、焦点距離が短くなるほど（広角にするほど）発生しにくい。手ぶれ防止機能を使用すると消費電力が大きくなるが、手ぶれの影響が少ない広角撮影時には必要以上に手ぶれ防止機能を作動させる利点は少ない。よって、コンバータレンズの着脱情報をカメラに伝達して手ぶれ補正制御を最適化することで消費電力を低減できる。
【００４６】
また、コンバータレンズのレンズの歪曲収差は、コンバータレンズの種類ごとに度合いが異なる。一般なズームレンズの場合、画角を広くすると歪曲収差は大きくなりやすく、画角を狭くすると歪曲収差は小さくなる。したがって、レンズの歪曲特性に合わせて画角ごとに複数の補正テーブルを用意しておくことにより、撮影後にカメラ内部で歪曲を補正する際に歪補正量を最適化することも可能である。
【００４７】
また、コンバータレンズのレンズの周辺光量の低下の特性は、コンバータレンズの種類ごとに異なる。一般的なズームレンズの場合、画角が広くなると周辺光量が低下しやすく、画角が狭くなると周辺光量の落ち込みは小さい。したがって、レンズの周辺光量の特性に合わせて画角ごとに複数の補正テーブルを用意しておくことにより、撮影後にカメラ内部で周辺光量の低下を打ち消す補正を行う際に周辺光量の補正を最適化することも可能である。
【００４８】
また、コンバータレンズのレンズの色収差の特性は、コンバータレンズの種類ごとに異なる。したがって、レンズの色収差の特性に合わせ画角ごとに複数の補正テーブルを用意しておくことにより、撮影後にカメラ内部で色収差を補正する際に色収差の補正を最適化することも可能である。
【００４９】
また、カメラ本体に外付けファインダーを装着する場合、外付けファインダーで見える画角を適正に変更する必要がある。カメラ本体１がコンバータレンズが取り付けられたことを認識し、装着されたコンバータレンズの種類に応じて外付けファインダーの視野範囲を変化させることで、コンバータ装着後の画角に応じた視野範囲を外付けファインダーに表示することが可能である。
【００５０】
〔第２実施形態〕
本発明を好適に実施した第２の実施形態について説明する。
上記第１の実施形態では、沈胴式のレンズ鏡胴を備えたコンパクトカメラにアダプタを介して光学系部材を装着しているが、アダプタを介さずカメラ本体に直接に光学系部材を装着する構成とすることができる。
図示は省略するが、この場合のカメラ装置（カメラ本体）は、光学系部材をカメラに直接取り付け可能に構成されたカメラ側マウント部の近傍に、第１実施形態のアダプタにおける検出機構部１７と同等の機構を備えている。すなわち、図４、図８、図１１に示したものと同等の機構がカメラ本体内に組み込まれ、装着された光学系部材の固有の突出量の変動パターンを検出手段で検出し、光学系部材の種類に応じた固有の光学特性に対応して各種カメラ機能制御が最適化される。
なお、アダプタを介さずカメラ本体に光学系部材を直接装着する場合、コンバータレンズ等の光学系部材は、沈胴式のレンズ鏡胴の先端に取り付けるのではなく、レンズ鏡胴の外周部に設けたカメラ側マウント部に、当該レンズ鏡胴を覆うように取り付ける。
【００５１】
光学系部材の種類に応じた突出部の突出量の変動パターンを検出する動作等については第１の実施形態と同様であるため、説明は割愛する。
【００５２】
なお、上記各実施形態は本発明の好適な実施の一例であり、本発明はこれらに限定されることはない。
例えば、上記実施形態においてはＣＣＤを用いたデジタルカメラを例として説明したが、フィルムカメラにも適用可能であることは言うまでもない。
また、カメラに装着する別光学系はコンバータレンズに限定される訳ではなく、フィルタなどであってもよい。
このように、本発明は様々な変形が可能である。
【図面の簡単な説明】
【００５３】
【図１】本発明を好適に実施した第１の実施形態に係るカメラの構成を示す図である。
【図２】アダプタの断面図である。
【図３】アダプタを背面側より見た斜視図である。
【図４】コンバータ未装着状態における検出機構部を説明する要部拡大図である。
【図５】コンバータレンズの基端部の形状を示す図である。
【図６】コンバータレンズの突出部の摺動面の変動パターンの一例を示す図である。
【図７】ワイドコンバータ装着状態でのアダプタの断面図である。
【図８】ワイドコンバータ装着状態における検出機構部を説明する要部拡大図である。
【図９】検出信号の違いの一例を示す図である。
【図１０】テレコンバータ装着状態でのアダプタの断面図である。
【図１１】テレコンバータ装着状態における検出機構部を説明する要部拡大図である。
【図１２】カメラの制御系の構成を示す図である。
【図１３】カメラの動作の流れの一例を示す図である。
【符号の説明】
【００５４】
１    カメラ本体
２    レンズ部
３    アダプタ検出部
４、５、６、１３、１４、１５    接点
７    測距部
８    電源ボタン
９    レリーズボタン
１０    フラッシュ部
１１    カメラ側マウント部
１２    アダプタ
１２ａ    基端側マウント部
１２ｃ    先端側マウント部
１７    検出機構部
１８    ワイドコンバータ
１９、２２    突出部
２１    テレコンバータ
２４    レバー
２５    曲げ部
２７    駆動軸
２８    スライド板
２９    支軸
３０、３５    長穴
３１、３２    スイッチ
５１    摺動面
６１、６３、６５、７１、７３、７５、７７    凸部
６２、６４、７２、７４、７６    凹部
１０２    レンズユニット部
１０３    ＣＣＤ
１０４    ＣＤＳ回路
１０５  Ａ／Ｄ変換部
１０６    デジタル信号処理回路
１０７    圧縮伸長回路
１０８    ＤＲＡＭ
１０９    メモリカード
１１１    ドライバ
１１２    制御信号生成部
１１３    ＣＰＵ
１１６    マイク
１１７    アンプ・フィルタ部
１１８    Ｄ／Ａ変換部
１１９    音声データ圧縮伸長回路
１２０    Ａ／Ｄ変換部
１２１    フィルタ部
１２２    ＯＳＤ
１２３  ＲＡＭ
１２４    ＣＰＵバス
１２５    ＤＣ／ＤＣコンバータ
１２６    メカ機構
１２７    電池
１２８    ＡＣアダプタ
２０３    レンズ
２０４    コンバータレンズ
２０６    操作部
２０９    ＬＣＤ
【図１】
2010134189.tif 000003
【図２】
2010134189.tif 000004
【図３】
2010134189.tif 000005
【図４】
2010134189.tif 000006
【図５】
2010134189.tif 000007
【図６】
2010134189.tif 000008
【図７】
2010134189.tif 000009
【図８】
2010134189.tif 000010
【図９】
2010134189.tif 000011
【図１０】
2010134189.tif 000012
【図１１】
2010134189.tif 000013
【図１２】
2010134189.tif 000014
【図１３】
2010134189.tif 000015